(57)【要約】【課題】上位装置の負荷を低減するとともに、容易にＩＣカードに記録された内容を確認すること。【解決手段】ＣＰＵ１０１は、リーダライタ１００が上位装置２００からのコマンドと無関係に動作する情報表示モードに設定されている場合、ＩＣカード３００から受信したデータに応じた出力をＵＩ部１０５に実行させる。ＵＩ部１０５は、ＬＥＤ部１０５ａ、文字表示部１０５ｂ、および音声出力部１０５ｃを有している。ＬＥＤ部１０５ａは、アンテナ１０４によってＩＣカード３００の記録内容が正常に受信された場合などに、ＣＰＵ１０１の制御に従って所定のパターンで発光する。文字表示部１０５ｂは、ＩＣカード３００から受信された記録内容をＣＰＵ１０１の制御に従って文字表示する。音声出力部１０５ｃは、ＩＣカード３００から受信された記録内容をＣＰＵ１０１の制御に従って音声出力する。【選択図】        図１
2008027115.tif 000002
【特許請求の範囲】
【請求項１】
情報を更新可能に記録するＩＣカードを読み取るＩＣカード読取装置であって、
ＩＣカードに記録された情報を受信する受信手段と、
前記受信手段によって受信された情報を出力するユーザインタフェース手段と、
前記ユーザインタフェース手段による情報の出力をこの情報の内容に応じて制御する制御手段と
を有することを特徴とするＩＣカード読取装置。
【請求項２】
前記ユーザインタフェース手段は、
前記受信手段によって受信された情報に応じて発光する発光手段を含むことを特徴とする請求項１記載のＩＣカード読取装置。
【請求項３】
前記受信手段は、
ＩＣカードに記録された有価価値情報を受信し、
前記制御手段は、
有価価値の種類に応じた発光色または発光パターンで前記発光手段を発光させることを特徴とする請求項２記載のＩＣカード読取装置。
【請求項４】
前記ユーザインタフェース手段は、
文字を表示する表示手段を含むことを特徴とする請求項１記載のＩＣカード読取装置。
【請求項５】
前記受信手段は、
ＩＣカードに記録された有価価値情報を受信し、
前記制御手段は、
有価価値の残高を前記表示手段に表示させることを特徴とする請求項４記載のＩＣカード読取装置。
【請求項６】
前記ユーザインタフェース手段は、
音声を出力する出力手段を含むことを特徴とする請求項１記載のＩＣカード読取装置。
【請求項７】
前記受信手段は、
ＩＣカードに記録された有価価値情報を受信し、
前記制御手段は、
有価価値の残高を前記出力手段から音声出力させることを特徴とする請求項６記載のＩＣカード読取装置。
【請求項８】
前記制御手段は、
前記受信手段によって受信された情報が前記ユーザインタフェース手段の設定に関する設定情報である場合、この設定情報に従って前記ユーザインタフェース手段の設定を変更することを特徴とする請求項１記載のＩＣカード読取装置。
【請求項９】
前記制御手段は、
ＩＣカードが携帯端末装置に内蔵されているか否かを判断し、ＩＣカードが携帯端末装置に内蔵されている場合、この携帯端末装置にあらかじめ記憶されたアプリケーションを起動させることを特徴とする請求項１記載のＩＣカード読取装置。
【請求項１０】
情報を更新可能に記録するＩＣカードを読み取るＩＣカード読取方法であって、
ＩＣカードに記録された情報を受信する受信工程と、
前記受信工程にて受信された情報の内容に応じてユーザインタフェースを制御する制御工程と、
前記制御工程における制御に従って前記受信工程にて受信された情報を前記ユーザインタフェースから出力する出力工程と
を有することを特徴とするＩＣカード読取方法。
【発明の詳細な説明】
【技術分野】
【０００１】
本発明は、情報を更新可能に記録するＩＣカードを読み取るＩＣカード読取装置およびＩＣカード読取方法に関し、特に、上位装置の負荷を低減するとともに、容易にＩＣカードに記録された内容を確認することができるＩＣカード読取装置およびＩＣカード読取方法に関する。
【背景技術】
【０００２】
近年、例えば電子マネー媒体や交通機関の電子乗車券として、非接触型のＩＣカードが急速に普及してきている。非接触型ＩＣカードは、専用のリーダライタに密着させなくても、カードおよびリーダライタの双方に内蔵されるアンテナコイル間の無線通信により、記録内容の読み書きが行われる。また、非接触型ＩＣカードは、リーダライタに密着させたり挿入したりする必要がないため、形状の自由度も高く、例えば携帯電話にＩＣカードの機能を組み込むことなどが可能となっている。
【０００３】
このような利便性と自由度の高さから、非接触型ＩＣカードは、今後益々普及していくと考えられる。しかし、非接触型ＩＣカードにおいては、非接触型であるが故に、カードとリーダライタとの間に金属などの遮蔽物が存在すると、通信を行うアンテナコイルが発熱し、断線してしまうことがある。
【０００４】
そこで、例えば特許文献１には、リーダライタのアンテナコイルの近傍に遮蔽物を検知するセンサを設け、遮蔽物が検知されると発光ダイオード（ＬＥＤ：Light Emitting Diode）を発光させるなどして、遮蔽物がある旨の警告を発する技術が開示されている。
【０００５】
【特許文献１】特開２００３−２５６７８４号公報
【発明の開示】
【発明が解決しようとする課題】
【０００６】
ところで、通常、非接触型ＩＣカードのリーダライタは、上位装置に接続されており、上位装置からのコマンドに従ってカードへの読み書きを行う。具体的には、例えば自動販売機で非接触型ＩＣカードの電子マネー媒体が使用される場合、自動販売機本体に接続されたリーダライタへ電子マネー残高の確認や電子マネー残高の書き換えのコマンドが送信され、リーダライタによってカードの電子マネー残高が読み出されたり書き込まれたりする。そして、リーダライタから自動販売機本体へ電子マネー残高が通知され、自動販売機本体がユーザインタフェースに電子マネー残高を表示させるなどの制御を行う。
【０００７】
このため、例えば非接触型ＩＣカードの電子マネー媒体所持者が電子マネー残高を確認するためには、リーダライタによって読み取られた電子マネー残高が一度上位装置へ送信され、さらに上位装置によってユーザインタフェースが制御されて電子マネー残高が表示されるのを待つ必要がある。また、上位装置は、リーダライタとユーザインタフェースを別々に制御する必要があり、上位装置の負荷が増大してしまうという問題がある。
【０００８】
本発明はかかる点に鑑みてなされたものであり、上位装置の負荷を低減するとともに、容易にＩＣカードに記録された内容を確認することができるＩＣカード読取装置およびＩＣカード読取方法を提供することを目的とする。
【課題を解決するための手段】
【０００９】
上記課題を解決するために、本発明は、情報を更新可能に記録するＩＣカードを読み取るＩＣカード読取装置であって、ＩＣカードに記録された情報を受信する受信手段と、前記受信手段によって受信された情報を出力するユーザインタフェース手段と、前記ユーザインタフェース手段による情報の出力をこの情報の内容に応じて制御する制御手段とを有することを特徴とする。
【００１０】
また、本発明は、上記発明において、前記ユーザインタフェース手段は、前記受信手段によって受信された情報に応じて発光する発光手段を含むことを特徴とする。
【００１１】
また、本発明は、上記発明において、前記受信手段は、ＩＣカードに記録された有価価値情報を受信し、前記制御手段は、有価価値の種類に応じた発光色または発光パターンで前記発光手段を発光させることを特徴とする。
【００１２】
また、本発明は、上記発明において、前記ユーザインタフェース手段は、文字を表示する表示手段を含むことを特徴とする。
【００１３】
また、本発明は、上記発明において、前記受信手段は、ＩＣカードに記録された有価価値情報を受信し、前記制御手段は、有価価値の残高を前記表示手段に表示させることを特徴とする。
【００１４】
また、本発明は、上記発明において、前記ユーザインタフェース手段は、音声を出力する出力手段を含むことを特徴とする。
【００１５】
また、本発明は、上記発明において、前記受信手段は、ＩＣカードに記録された有価価値情報を受信し、前記制御手段は、有価価値の残高を前記出力手段から音声出力させることを特徴とする。
【００１６】
また、本発明は、上記発明において、前記制御手段は、前記受信手段によって受信された情報が前記ユーザインタフェース手段の設定に関する設定情報である場合、この設定情報に従って前記ユーザインタフェース手段の設定を変更することを特徴とする。
【００１７】
また、本発明は、上記発明において、前記制御手段は、ＩＣカードが携帯端末装置に内蔵されているか否かを判断し、ＩＣカードが携帯端末装置に内蔵されている場合、この携帯端末装置にあらかじめ記憶されたアプリケーションを起動させることを特徴とする。
【００１８】
また、本発明は、情報を更新可能に記録するＩＣカードを読み取るＩＣカード読取方法であって、ＩＣカードに記録された情報を受信する受信工程と、前記受信工程にて受信された情報の内容に応じてユーザインタフェースを制御する制御工程と、前記制御工程における制御に従って前記受信工程にて受信された情報を前記ユーザインタフェースから出力する出力工程とを有することを特徴とする。
【発明の効果】
【００１９】
本発明によれば、ＩＣカードに記録された情報を受信し、受信された情報の内容に応じてユーザインタフェースを制御し、制御に従って受信された情報をユーザインタフェースから出力する。このため、上位装置とは独立にＩＣカードの記録内容をユーザインタフェースから出力することができ、上位装置の負荷を低減するとともに、容易にＩＣカードに記録された内容を確認することができる。
【００２０】
また、本発明によれば、ユーザインタフェースは、受信された情報に応じて発光するため、発光色や発光パターンによって情報を出力することができる。
【００２１】
また、本発明によれば、ＩＣカードに記録された有価価値情報を受信し、有価価値の種類に応じた発光色または発光パターンでユーザインタフェースを発光させるため、例えばＩＣカードに残高が記録されている電子マネーの種類を出力することができる。
【００２２】
また、本発明によれば、ユーザインタフェースは、文字を表示するため、情報の内容を目視可能に出力することができる。
【００２３】
また、本発明によれば、ＩＣカードに記録された有価価値情報を受信し、有価価値の残高をユーザインタフェースに表示させるため、上位装置に負荷をかけることなく、例えば電子マネー媒体のＩＣカードに記録された電子マネー残高を目視で確認することができる。
【００２４】
また、本発明によれば、ユーザインタフェースは、音声を出力するため、情報の内容を聴取可能に出力することができる。
【００２５】
また、本発明によれば、ＩＣカードに記録された有価価値情報を受信し、有価価値の残高をユーザインタフェースから音声出力させるため、上位装置に負荷をかけることなく、例えば電子マネー媒体のＩＣカードに記録された電子マネー残高を聞き取って確認することができる。
【００２６】
また、本発明によれば、受信された情報がユーザインタフェースの設定に関する設定情報である場合、この設定情報に従ってユーザインタフェースの設定を変更するため、装置を操作することなく、設定用のＩＣカードをかざすのみでユーザインタフェースを設定することができる。
【００２７】
また、本発明によれば、ＩＣカードが携帯端末装置に内蔵されているか否かを判断し、ＩＣカードが携帯端末装置に内蔵されている場合、この携帯端末装置にあらかじめ記憶されたアプリケーションを起動させる。このため、例えばユーザインタフェースに加えて携帯端末装置にも付加的なメッセージを表示させることができる。
【発明を実施するための最良の形態】
【００２８】
以下、本発明の実施の形態について、図面を参照して詳細に説明する。なお、以下においては、ＩＣカードを電子マネー媒体とし、ＩＣカードに電子マネー残高が記録されているものとして説明するが、本発明において、ＩＣカードに記録されている内容は電子マネー残高に限定されない。すなわち、特定の店舗でのみ使用可能な電子マネーやポイントなどの有価価値がＩＣカードに記録されていても良いし、有価価値ではない情報がＩＣカードに記録されていても良い。有価価値ではない情報の例としては、ＩＣカード自体の有効／無効の情報、セキュリティチェックのために鍵として使用される入退出カードの有効性の情報、コンサートなどの電子チケット情報、および年齢や性別などの個人情報などがある。
【００２９】
（実施の形態１）
図１は、本発明の実施の形態１に係るリーダライタ１００の要部構成を示すブロック図である。同図に示すように、本実施の形態に係るリーダライタ１００においては、ＣＰＵ（Central Processing Unit）１０１、フラッシュメモリ１０２、インタフェース１０３、アンテナ１０４、およびユーザインタフェース（以下「ＵＩ」と略記する）部１０５がバス１０６を介して接続されている。
【００３０】
ＣＰＵ１０１は、リーダライタ１００全体の動作を制御しており、上位装置２００からのコマンドを解釈してアンテナ１０４経由でＩＣカード３００への書き込みを行ったり、ＩＣカード３００から受信したデータをインタフェース１０３から上位装置２００へ送信させたりする。また、ＣＰＵ１０１は、リーダライタ１００が上位装置２００からのコマンドと無関係に動作する情報表示モードに設定されている場合、ＩＣカード３００から受信したデータに応じた出力をＵＩ部１０５に実行させる。ＣＰＵ１０１による制御については、後に詳述する。
【００３１】
フラッシュメモリ１０２は、書き換えが可能であり、電源を切ってもデータが消去されない不揮発性半導体メモリである。フラッシュメモリ１０２は、コマンドモードおよび情報表示モードそれぞれのモードにおける動作の制御プログラムと各動作に関する設定情報とを記憶し、ＣＰＵ１０１によって制御プログラムおよび設定情報が参照される。
【００３２】
インタフェース１０３は、上位装置２００と接続され、上位装置２００から送信されるコマンドを受信するとともに、受信されたコマンドに対するレスポンスを送信する。
【００３３】
アンテナ１０４は、磁束を発生させるコイルから形成されており、ＩＣカード３００へ電力を供給するとともに、ＩＣカード３００との間でデータの授受を行う。なお、アンテナ１０４において送受信されるデータは、図示しない符号化処理部によって符号化処理（符号化および復号化を含む）が行われ、図示しない無線処理部によって周波数の変換や増幅処理などが施される。
【００３４】
ＵＩ部１０５は、ＣＰＵ１０１の制御に従ってＩＣカード３００に記録された内容を出力する。具体的には、ＵＩ部１０５は、発光ダイオード（以下「ＬＥＤ」と略記する）部１０５ａ、文字表示部１０５ｂ、および音声出力部１０５ｃを有している。
【００３５】
ＬＥＤ部１０５ａは、アンテナ１０４によってＩＣカード３００の記録内容が正常に受信された場合などに、ＣＰＵ１０１の制御に従って所定のパターンで発光する。このとき、ＬＥＤ部１０５ａは、例えばＩＣカード３００に固有のシステムコードから判別されるＩＣカード３００に記録された情報の種類（すなわち、例えば電子マネーの種類）などに応じたパターンで発光する。
【００３６】
文字表示部１０５ｂは、ＩＣカード３００から受信された記録内容をＣＰＵ１０１の制御に従って文字表示する。すなわち、文字表示部１０５ｂは、ＩＣカード３００から電子マネー残高が受信された場合、この電子マネー残高をＣＰＵ１０１の制御に従って表示する。
【００３７】
音声出力部１０５ｃは、ＩＣカード３００から受信された記録内容をＣＰＵ１０１の制御に従って音声出力する。すなわち、音声出力部１０５ｃは、ＩＣカード３００から電子マネー残高が受信された場合、この電子マネー残高をＣＰＵ１０１の制御に従って読み上げたり、特定のメロディを出力したりする。
【００３８】
なお、本実施の形態においては、ＵＩ部１０５がＬＥＤ部１０５ａ、文字表示部１０５ｂ、および音声出力部１０５ｃの３つのＵＩを備えるものとしたが、ＵＩ部１０５は必ずしも３つすべてのＵＩを備えている必要はなく、１つまたは２つのＵＩのみを備えていても良い。
【００３９】
これらのＵＩは、例えば図２に示すように、リーダライタ１００のＩＣカード３００を感知する面の近傍に配置されるのが好ましい。すなわち、アンテナ１０４の周囲にＬＥＤ部１０５ａが配置され、アンテナ１０４の紙面向かって上部には文字表示部１０５ｂが配置される。このように配置することにより、アンテナ１０４とＬＥＤ部１０５ａの干渉を防止することができるとともに、ＬＥＤ部１０５ａを発光させることによって、ＩＣカード３００をかざす位置を明示することができる。また、ＩＣカード３００の所持者がＩＣカード３００をかざしながら、文字表示部１０５ｂに表示される文字を目視しやすくなる。
【００４０】
次いで、上記のように構成されたリーダライタ１００におけるＣＰＵ１０１の制御について、図３に示すフロー図を参照しながら説明する。
【００４１】
まず、リーダライタ１００の電源が入れられると、上位装置２００とインタフェース１０３との間の通信のイニシャル処理（初期化処理）が実行される（ステップＳ１０１）。また、リーダライタ１００には、図示しないディップスイッチなどが設けられており、ディップスイッチの状態によって、動作モードが取得される（ステップＳ１０２）。ここでは、上位装置２００からのコマンドに対してレスポンスするコマンドモードと、上位装置２００とは無関係にスタンドアロンで動作する情報表示モードとがディップスイッチの状態によって指定可能であるものとする。なお、動作モードの指定は、ディップスイッチではなく、例えば動作モード指定用のＩＣカードがかざされることにより行われるなどとしても良い。このような場合でも、動作モードの情報がリーダライタ１００に保持されるため、動作モードの取得は可能である。
【００４２】
ディップスイッチによる動作モードが取得されると、ＣＰＵ１０１によって、動作モードが情報表示モードであるか否かが判定される（ステップＳ１０３）。この判定の結果、動作モードが情報表示モードである場合は（ステップＳ１０３Ｙｅｓ）、リーダライタ１００は、上位装置２００と独立に動作して、ＩＣカード３００に記録されている内容を表示することになる。すなわち、ＣＰＵ１０１は、ＩＣカード３００をリーダライタ１００にかざすように要求するＩＣカード要求制御を行う（ステップＳ１０４）。具体的には、ＣＰＵ１０１は、ＵＩ部１０５のＬＥＤ部１０５ａを発光させ、アンテナ１０４近傍がカードをかざす位置であることを明示するとともに、文字表示部１０５ｂにカードをかざすように要求するメッセージを表示させる（図２参照）。さらに、カードをかざすように求める音声を所定の周期で音声出力部１０５ｃから出力させても良い。
【００４３】
このような制御により、アンテナ１０４の近傍にＩＣカード３００がかざされることが待機され（ステップＳ１０５）、ＩＣカード３００がかざされない間は（ステップＳ１０５Ｎｏ）、ＩＣカード要求制御が継続する。そして、ＩＣカード３００がかざされると（ステップＳ１０５Ｙｅｓ）、ＩＣカード３００に固有のシステムコードが読み出され、システムコードからＩＣカード３００の種類が判別される（ステップＳ１０６）。ここでは、ＩＣカード３００が特定の電子マネーを保持するものであると判別され、このＩＣカード３００の種類に応じてあらかじめ設定された動作が実行される。具体的には、ＩＣカード３００のシステムコードに対応した所定の記憶領域に記録されている電子マネー残高がアンテナ１０４を介して読み出される（ステップＳ１０７）。このとき、電子マネー残高のみではなく、電子マネーに関する残高以外の属性情報が同時に読み出されるようにしても良い。なお、ＩＣカード３００の種類によって、異なる記憶領域が読み出されるように設定することが可能であり、システムコードに応じてＩＣカード３００の読み出し対象の記憶領域を変更することができる。
【００４４】
このようにしてＩＣカード３００の記録内容が読み出されると、ＣＰＵ１０１は、電子マネー残高をＵＩ部１０５から出力する残高出力制御を行う（ステップＳ１０８）。具体的には、ＣＰＵ１０１は、ＵＩ部１０５のＬＥＤ部１０５ａをシステムコード（すなわち、電子マネーの種類）に応じた所定のパターンで発光させるとともに、例えば図４に示すように、文字表示部１０５ｂに電子マネー残高を表示する。さらに、電子マネー残高を読み上げる音声を音声出力部１０５ｃから出力させても良い。この出力制御時には、ＩＣカード３００から読み出された記録内容がシステムコードに対応する設定に応じて加工され、加工後のデータがシステムコードに対応する設定に応じてＵＩ部１０５から出力される。
【００４５】
以上の一連の動作は、上位装置２００とは独立してリーダライタ１００のみで実行されるため、ＩＣカード３００がかざされてから電子マネー残高がＵＩ部１０５に表示されるまでの時間は非常に短く、また、この間、上位装置２００へ負荷がかかることもない。つまり、上位装置２００の負荷を低減するとともに、容易にＩＣカード３００に記録された内容を確認することができる。
【００４６】
なお、電子マネー残高と同時に電子マネーの属性情報がＩＣカード３００から読み出された場合は、ＣＰＵ１０１は、ＬＥＤ部１０５ａの発光色や発光パターンを変化させることにより、属性情報を表現しても良い。また、電子マネーの種類などは、文字表示部１０５ｂに電子マネー残高とともに表示させても良い。また、かざされたＩＣカード３００のシステムコードに対応する動作が設定されていない場合は、ＣＰＵ１０１は、文字表示部１０５ｂや音声出力部１０５ｃにエラーメッセージを出力させるとともに、システムコードを文字表示部１０５ｂに表示させるなどとしても良い。
【００４７】
一方、リーダライタ１００の動作モードが情報表示モードではなく、上位装置２００からのコマンドを受け付けるコマンドモードである場合は（ステップＳ１０３Ｎｏ）、リーダライタ１００は、上位装置２００からのコマンドに従って動作することになる。すなわち、上位装置２００からインタフェース１０３へのコマンド受信が待機され（ステップＳ１０９）、随時、ＣＰＵ１０１によって、コマンドが受信されずに所定時間が経過するタイムアウトが発生したか否かが判定される（ステップＳ１１０）。そして、タイムアウトが発生した場合は（ステップＳ１１０Ｙｅｓ）、上位装置２００がリーダライタ１００によるＩＣカード３００の読み取りを要求していないと判断され、ＣＰＵ１０１の制御が情報表示モードと同様の制御に移行する。すなわち、ＵＩ部１０５に対するＩＣカード要求制御が行われ、ＩＣカード３００がかざされると、ＩＣカード３００に記録された電子マネー残高が読み出され、ＵＩ部１０５に対する残高出力制御が行われる。
【００４８】
また、タイムアウトが発生せず、上位装置２００からコマンドが受信された場合は（ステップＳ１１０Ｎｏ）、上位装置２００からのコマンドに従った処理を実行する（ステップＳ１１１）。すなわち、ＣＰＵ１０１は、アンテナ１０４を介してＩＣカード３００の記録内容を読み出したり書き換えたりする他にも、上位装置２００から送信される情報をＵＩ部１０５から出力させるなどの制御を行う。具体的には、例えば上位装置２００が自動販売機本体である場合、自動販売機における購入金額をＩＣカード３００に記録された電子マネー残高から減算させたり、購入後の電子マネー残高をＵＩ部１０５の文字表示部１０５ｂに表示させたりする。なお、ディップスイッチによる動作モードの指定が情報表示モードであっても、上位装置２００からコマンドが受信された場合は、このコマンドに従った処理を優先して実行するようにしても良い。
【００４９】
以上のように、本実施の形態によれば、ＩＣカードのリーダライタに文字表示や音声出力が可能なＵＩを備え、ＩＣカードがかざされると、上位装置とは独立にＩＣカードの記録内容をＵＩから出力するため、上位装置の負荷を低減するとともに、容易にＩＣカードに記録された内容を確認することができる。
【００５０】
（実施の形態２）
本発明の実施の形態２の特徴は、リーダライタにかざされるＩＣカードの種類によって制御が変更される点である。
【００５１】
本実施の形態に係るリーダライタの要部構成は、実施の形態１（図１）と同様であるため、その説明を省略する。本実施の形態においては、動作モードが情報表示モードである場合のＣＰＵ１０１の制御のみが実施の形態１とは異なる。そこで、動作モードが情報表示モードである場合のＣＰＵ１０１の制御について、図５に示すフロー図を参照しながら説明する。なお、図５において、図３と同じ部分には同じ符号を付し、その詳しい説明を省略する。
【００５２】
本実施の形態において、ディップスイッチによる動作モードの指定が情報表示モードである場合、ＣＰＵ１０１は、実施の形態１と同様にＩＣカード要求制御を行う（ステップＳ１０４）。この制御により、アンテナ１０４の近傍にＩＣカード３００がかざされることが待機され（ステップＳ１０５）、ＩＣカード３００がかざされない間は（ステップＳ１０５Ｎｏ）、ＩＣカード要求制御が継続する。
【００５３】
そして、ＩＣカード３００がかざされると（ステップＳ１０５Ｙｅｓ）、ＣＰＵ１０１によって、ＩＣカード３００に固有のシステムコードが読み出され、このＩＣカード３００がリーダライタ１００のＵＩ部１０５の設定を変更する設定カードであるか否かが判断される（ステップＳ２０１）。設定カードには、ＵＩ部１０５の所定の動作などが記録されており、アンテナ１０４から設定カードが読み取られると、ＵＩ部１０５の動作が記録された内容に変更される。すなわち、ＩＣカード３００が設定カードである場合（ステップＳ２０１Ｙｅｓ）、設定カードに記録された設定内容がアンテナ１０４を介して読み出され（ステップＳ２０２）、ＣＰＵ１０１によって、ＵＩ部１０５の設定を変更する制御が行われる（ステップＳ２０３）。この設定変更は、例えばシステムコードに対応するＬＥＤ部１０５ａの発光色および発光パターンを変更したり、電子マネー残高をＵＩ部１０５から出力する際に文字表示部１０５ｂと音声出力部１０５ｃのどちらから出力するか選択したりするものである。
【００５４】
本実施の形態においては、リーダライタ１００を操作することなく、設定カードをかざすのみでリーダライタ１００の設定を変更することができる。なお、設定カードによるリーダライタ１００の設定はＵＩ部１０５に関するもののみではなく、受け付けるＩＣカード３００の種類、ＩＣカード３００中における読み取り対象の記憶領域、ＩＣカード３００が携帯電話に内蔵されている場合に携帯電話へ送信するデータなど、リーダライタ１００の動作に関する様々な設定が可能である。また、設定カードに記録される設定内容は、設定カードが携帯電話に内蔵されていれば、例えば外部の設定カード更新センターから送信される新たな設定内容に更新するなどして変更することが可能である。
【００５５】
一方、ＩＣカード３００が設定カードでない場合（ステップＳ２０１Ｎｏ）、ＩＣカード３００のシステムコードに対応した所定の記憶領域に記憶されている電子マネー残高がアンテナ１０４を介して読み出される（ステップＳ１０７）。また、ＣＰＵ１０１によって、ＩＣカード３００が携帯電話に内蔵されたものであるか否かが判断される（ステップＳ２０４）。この判断は、例えばＩＣカード３００のシステムコード（またはその他の識別番号）からＩＣカード３００がカード単体のものであるか携帯電話に内蔵されたものであるか判別することにより行われる。この結果、ＩＣカード３００が携帯電話に内蔵されたものではなく、カード単体のものである場合（ステップＳ２０４Ｎｏ）、ＣＰＵ１０１は、実施の形態１と同様に電子マネー残高をＵＩ部１０５から出力する残高出力制御を行う（ステップＳ１０８）。
【００５６】
また、ＩＣカード３００が携帯電話に内蔵されたものである場合（ステップＳ２０４Ｙｅｓ）、ＩＣカード３００がカード単体である場合と同様に電子マネー残高をＵＩ部１０５から出力する残高出力制御を行うとともに（ステップＳ２０５）、携帯電話にあらかじめ記憶されている所定のアプリケーションを起動させる（ステップＳ２０６）。このアプリケーションは、例えば電子マネーの利用に応じて付与されるポイント残高を表示させるアプリケーションなどであり、電子マネー残高がＵＩ部１０５によって確認可能となると同時に、携帯電話のアプリケーションが起動されることにより、ポイント残高も確認可能となる。
【００５７】
また、ＩＣカード３００が携帯電話に内蔵されている場合、ＣＰＵ１０１は、ＵＩ部１０５に対する残高出力制御を実行せず、携帯電話のアプリケーションを起動させて、電子マネー残高を表示させるようにしても良い。さらに、上位装置２００からのコマンドにより、あらかじめ宣伝や広報などの付加的なメッセージがフラッシュメモリ１０２に記憶されている場合などは、このメッセージを携帯電話の所定のアプリケーションを起動させて表示させるようにしても良い。これらのアプリケーションの起動や携帯電話へ表示させるメッセージなどは、上述した設定カードにより設定することが可能である。
【００５８】
以上のように、本実施の形態によれば、リーダライタにかざされるＩＣカードの種類によって、ＵＩの設定を変更したり、携帯電話のアプリケーションを起動したりするため、リーダライタそのものや携帯電話の操作が不要となり、より効率的にＩＣカードに記録された内容を確認することができる。
【００５９】
なお、上記実施の形態２においては、携帯電話以外にも例えばＰＤＡ（Personal Digital Assistant）などの携帯端末装置にＩＣカードが内蔵されている場合に、この携帯端末装置のアプリケーションを起動させるようにしても良い。
【産業上の利用可能性】
【００６０】
本発明は、上位装置の負荷を低減するとともに、容易にＩＣカードに記録された内容を確認する場合に適用することができる。
【図面の簡単な説明】
【００６１】
【図１】本発明の実施の形態１に係るリーダライタの要部構成を示すブロック図である。
【図２】実施の形態１に係るリーダライタのＩＣカード感知面の外観を示す図である。
【図３】実施の形態１に係るリーダライタのＣＰＵの制御を示すフロー図である。
【図４】実施の形態１に係るＵＩからの出力の一例を示す図である。
【図５】本発明の実施の形態２に係るリーダライタのＣＰＵの制御を示すフロー図である。
【符号の説明】
【００６２】
１０１  ＣＰＵ
１０２  フラッシュメモリ
１０３  インタフェース
１０４  アンテナ
１０５  ＵＩ部
１０５ａ  ＬＥＤ部
１０５ｂ  文字表示部
１０５ｃ  音声出力部
１０６  バス
【図１】
2008027115.tif 000003
【図２】
2008027115.tif 000004
【図３】
2008027115.tif 000005
【図４】
2008027115.tif 000006
【図５】
2008027115.tif 000007